(57)【特許請求の範囲】
【請求項１】
小さな骨の骨折の固定の為の器具で、
Ａ）先端部（４）および末端部（３）を有する円筒形本体（２）、骨ねじ（６０）を挿入する中央穴（５）、該末端部（３）に向かって直径が増えている外部ねじ山（９）、および骨へ挿入するねじ込み手段（８）を具備するねじ山つき座金（１）、および
Ｂ）該ねじ山つき座金（１）の該中央穴（５）の中に配置された骨ねじ（６０）を具備し、
Ｃ）該骨ねじ（６０）が内部の骨片にかみ合う為に該中央穴（５）の直径より小さな直径（６２）のねじ山（６１）を有し、そして
Ｄ）該骨ねじが該ねじ山つき座金（１）とかみ合う為に該中央穴（５）より大きなねじ頭（６７）を有することを特徴とする器具。
【請求項２】
前記外部ねじ山（９）が切り込み縦溝（１４）を有することを特徴とする、請求の範囲第１項に記載の器具。
【請求項３】
前記ねじ込み手段（８）が十字状の細い窪みを具備することを特徴とする請求の範囲第１または２項に記載の器具。
【請求項４】
前記ねじ込み手段（８）が六角形の受け口を具備することを特徴とする請求の範囲第１または２項に記載の器具。
【請求項５】
前記外部ねじ山（９）が網状組織向けのねじ山形状を有することを特徴とする請求の範囲第１〜４項のいずれか一項に記載の器具。
【請求項６】
座金（１）が生物吸収性材料で作られていることを特徴とする請求の範囲第１〜５項のいずれか一項に記載の器具。
【請求項７】
前記骨ねじ（６０）が中空の骨ねじである、請求の範囲第１〜６項にいずれか一項に記載の器具。
【請求項８】
前記ねじ山（６１）が自己雌ねじ切りである、請求の範囲第１〜７項のいずれか一項に記載の器具。
【請求項９】
前記ねじ山つき座金（１）および骨ねじ（６０）が同じピッチを有する、請求の範囲第１〜８項のいずれか一項に記載の器具。
【発明の詳細な説明】
本発明は請求の範囲第１項の予備特徴付け部分に一致したねじ山つき座金および請求の範囲第７項の予備特徴付け部分に一致したこのようなねじ山つき座金で小さな骨の骨折を固定するための器具に関する。
本発明は全般的に骨または骨の破片が小さい場合の骨折および偽関節（骨折した骨が完全に治癒してないこと、骨折の癒着不良）の整復および圧縮に小さなねじを用いることに関する。これらのねじが治癒を促進するため骨折線に沿って十分な安定性および圧縮を提供しなければならない。関節内での使用では、ねじの頭は、関節の動き及び回りの組織への干渉を避けるために骨の表面より上に突き出てはならない。本発明は特に、小さなねじの頭を骨の表面の下の網状（cancellous）物質の層にしっかりと位置させるために、外側にテーパーのあるなじ山を有する座金の使用に関する。
整形外科においては、小さな骨の破片の偽関節および骨折の治療を成功させるにはしばしば小さなねじを使用する。これらのねじは骨折面に対して実質的に垂直な方向で両方の破片を通して取り付けられる。小さなねじは治癒を促進するため両刃片を十分圧縮しなければならない。小さな骨の破片となる骨折は、舟形骨、他の手首の骨、長骨の端、および脊椎の骨のような、関節内地域に隣接する骨でしばしば起こる。これらの適用では骨ねじ（ボーンスクリュー）の頭が骨の外表面から突き出ないようにするのが重要で、これらの場所ではねじの頭が関節接合中に関節の動きの妨げとなったり回りの組織を損傷しかねない。
軸の先端部にのみねじ山を有する通常の小さな骨ねじがこの症状に試された。これらのねじはあらかじめ開けた穴へ頭が外側の破片に接触するまでねじ込まれた。ねじは次に、ねじの頭およびねじ山の間の破片を圧縮する力が出るまで回転され、ねじ山は内側の破片にかみ合う。関節内の使用では、骨の表面からねじの頭が突き出すのを防ぐためあらかじめ開けた穴は口を広げなければならない。この口を広げた穴の深さはしばしば比較的薄い骨の皮質の厚さを越えそして下のより柔らかな網状の骨に侵入する。強く締めると、小さなねじの頭は網状の骨に更に沈み、そして破片の適切な結合には圧縮力が不十分となる。
この問題に対する他の試みがＨｅｒｂｅｒｔの米国特許第４，１７５，５５５号に開示されており、これは先端と末端でねじ山のピッチが異なる小さな、頭のないねじを示している。このねじを締めると、ピッチの差により骨の破片同士が引き寄せられる。末端部においてねじの頭がねじ山に置き換えられているので、ねじは骨から突き出ずかつ穴の口を広げる必要はない。ねじの末端部のねじ山は網状骨物質の中でいくらかの固定力を与える。これらのねじは、しかしながら、多くの臨床的使用において圧縮が不十分である。さらに、ねじを設置する外科医はねじの頭が適切な深さに到達するのと同時に正しい骨折の整復および圧縮が起こるよう、個々の組のねじ山を骨へ設置を始めるのに注意を払わなければならない。さもないと、最適な骨折の圧縮が早く起こり過ぎて末端が骨から突き出た状態となるか、または遅く起こり過ぎて末端のねじ山が内部の破片の一部にかみ合うこととなる。
Ｌｏｗｅｒへの米国特許第Ｒｅ．３３，３４８号はねじ山のない軸部および先端のねじのついた部分のある股関節ねじを開示している。ねじ山のついた筒状体部材がねじのない軸部に保持されかつ軸部を滑れる。筒状体のねじ山は比較的厚い大腿骨の骨皮質にかみ合うよう設計されている。先端部の上および筒状体の上のねじ山は異なったピッチを有する。組み立てられたねじは一体として設置され、Ｈｅｒｂｅｒｔ  ’５５５でのピッチの差の結果として発生する圧縮力を有する。二つの部品からなる設計は骨吸収が起こったときねじのねじ山のない部分が筒状体部材を通って後ろへ戻ることを可能にし、前の股関節ねじが反対の方向、股関節皮膜の中、へ押しつけられるのを解決する。
ＦｉｘａｎｏのＦＲ−Ａ−２６７４１１９に開示の発明は、大腿骨環の関節包内骨折の場合における骨接合ねじのすべりを案内し中心に置く役目をする器具に関する。この器具は、頭のないねじの末端の円筒部分の回りに挿入した円筒からなる。この円筒は、ねじ込める接続部によって骨の開口部内にしっかり固定される。このねじ込み可能接続部は上記円筒の末端部の外表面のねじ山によって達成され、それによりこのねじ山の高さは近位の末端方向に増加している。
小さな骨ねじの設置にしばしば用いられる方法は、最初に案内ワイヤーをねじにとって決められた位置および方向で骨の中に取り付けることである。このワイヤーは回りの柔らかい組織を通り、ドライバー、リーマーおよびドリルのような工具を案内し、そしてねじおよび座金のような整形外科移植体の案内となる。このような過程に用いられる工具および移植体は中空（cannulared）で、すなわちワイヤーの上に設置する長い軸を通っての中央の穴を備えている。
本発明の目的は、骨ねじが内側と外側の骨破片の間に働かせることのできる圧縮力を損なうことなく、外側の破片の表面の下の皿穴に小さな骨ねじを埋めるためのねじ山つき座金を提供することである。
更なる目的は、小さな骨ねじの頭を支えるため網状の骨の中で十分な固定力を与えるねじ山つき座金を提供することである。
本発明の更なる目的は、小さな骨ねじを支持するためにねじ山つき座金を提供することであり、ここで座金のねじ山には、網状の骨での固定力を増すためおよびねじを挿入するときに座金が前進するのを防ぐためテーパーがついている。
本発明の更なる目的は、関節内地域で外側の骨破片の表面の下で小さな骨ねじの頭を支持するために外側破片の網状物質の口を広げた穴へ沈めたねじ山つき座金を用いた、骨の破片を不動にしおよび圧縮する方法を提供することである。
本発明に従って、小さな骨ねじを取り付ける既存の手段の言及した欠点は請求の範囲第１項の特徴に係るねじ山つき座金の使用により克服される。
本発明の一態様において、ねじ山つき座金は中空の（cannulated）ねじと共に用いられる。ねじのために選ばれた位置で最初に案内ワイヤーが骨の中に差し込まれる。中空の、リーマーを次に用いて、骨の表面の下にねじ山つき座金を収容するのに十分な深い穴を形成する。ねじ山つき座金が次に中空のねじ回しを用いて挿入され、そしてテーパーのついたねじ山が完全に穴にかみ合うまで網状骨物質の中へねじ込まれる。中空のねじが次にねじ山つき座金の中央の穴を通して取り付けられ、そしてねじの頭がねじ山つき座金に接触するまで中空のねじ回しを用いてねじ込まれる。中空のねじの更なる回転は、テーパーのついた座金の位置には影響を与えないが、しかし骨折を整復しかつ骨折面を横切って圧縮力を与える働きをする。
本発明に係るねじ山つき座金の利点の一部は、通常の中空のねじと共に用いることができるので、その万能的な適用性にある。
本発明に係るねじ山つき座金は、船形骨骨折の場合典型である、骨ねじが関節内の地域に隣接する壁を通して骨の中へ挿入されなければならないという臨床的な適用で用いることができる。このような臨床的な適用では、関節の動きを妨げるのを避けるためねじの頭を骨の中へ沈めることが重要である。これは骨折面にわたって適用される圧縮力を損なうことなくなされねばならない。対応する穴を取り囲む網状物質での改良された固定力によって、本発明のねじ山つき座金はこの増加した圧縮力を与える一方で、小さな頭の極小のねじの使用をなおも可能とする。
好ましくはねじ山つき座金および骨ねじは同じピッチを有する（ねじ１回転の前進距離が同じである）。先端および末端ねじ山の間で異なるピッチを有する既存のねじの使用に対するこのねじ山つき座金の利点は、骨折の整復が骨の表面の下のねじの頭の深さと独立して調節できることである。本発明においては、一度骨ねじの頭がねじ山つき座金に接触すると、すべての更なるねじの回転は、骨の表面の下のねじの頭の深さを変えることなく、骨折を整復しまたは骨折の面にわたって圧縮力を加えることとなる。
本発明は添付の図面に関連してより完全に開示され、
図１は本発明に係るねじ山つき座金の部分断面の側面図であり、
図２は図１のねじ山つき座金の平面図であり、
図３はねじ山つき座金のねじ山部分の従断面図であり、
図４は設置した状態で示された中空ねじのついた本発明に係るねじ山つき座金の側面断面図であり、
図５は本発明に係る案内ワイヤーの挿入後の骨折した骨の断面図であり、
図６は本発明に係るねじ山つき座金のためにリーマーで穴を広げた後の骨折した骨の断面図であり、
図７は本発明に係るねじ山つき座金を挿入後の骨折した骨の断面図であり、そして
図８は本発明に係る中空ねじを設置および締めつけ後の骨折した骨の断面図である。
図１および２は本発明に係るねじ山つき座金を示している。図１で最も良く見られるように、ねじ山つき座金１は末端部３および先端部４のある中空（hollow）円筒状本体２を含む。中央のねじ山のついてない穴５は円筒状本体２の中心軸６に沿って伸びている。
図１および２に示される実施態様において、六角形の受け口８（ソケット）は六角形の道具（示してない）でねじ山つき座金をねじ込むため末端部３の中央穴５に備わっている。当業者は、二重のピンまたは細長い窪みのような、他のねじ込み手段が使用できることを認めるであろう。
テーパーのついた外側のねじ山９が、中空円筒状本体２の外表面に備わっている。ねじ山の形状は、先端１０および根本１１を含み、末端部３から先端部４へテーパーをなすよう大きさが次第に減少している。本発明の一つの実施態様では、ねじ山９は一側面につき４．５°テーパーがついている。テーパーは網状骨物質中で固定力を増し、そして穴５から挿入された骨ねじを回転している間ねじ山つき座金が前進するのを防ぐ。
好ましい実施態様において、座金のテーパーのついたねじ山９は、座金１が自己雌ねじ切りとなるよう、図１に示される切り込み縦溝１４を有する。ねじ山９の形状は網状物質向けの（cancellous）ねじ山形状であり、すなわち、網状の骨での固定力用に設計された形状である。
図３は本発明の一つの実施態様で用いた網状物質向けねじ山を示す。ねじ山の先端面５０は、ねじ山つき座金および周囲の網状骨組織の間の圧縮力を移すが、例えば１０°という小さな先端面角５１を有する。末端面５４は、先端面角より大きな例えば３０°という末端面角５５を有する。この実施態様では大きな方の直径２０は５．５ｍｍ、全体の歯の深さ５８は０．６２５ｍｍである。しかしながら、本発明はこのまたは他のいかなるねじ山の形状にも決して限られるものでないことを理解できるであろう。
図１に示される外側の面取り面１２は、以下に述べるようにねじ山つき座金の挿入を容易にするため、先端４と交差するテーパーのついたねじ山９上にある。第二の外側の面取り面１３は鋭いかどを壊すため座金の末端部にある。
一つの実施態様において、本発明のねじ山つき座金はチタニュウム、チタニュウム合金、または移植体品質のステンレス鋼、例えばＡＳＴＭ−３１６Ｌのような生物学的不活性の金属から作られる。金属の座金およびねじは骨折の治癒後に引き続いて行う外科的処理においてしばしば取り除かれる。例えば、座金およびねじは治癒した骨折面にわたる連続した骨の圧縮による不快を除去するため取り除かれる。
もう一方の実施態様においては、座金は生物吸収性物質から作られる。この場合、その後の移植体除去手順は考えられず、そして座金は患者の身体により吸収されるので、骨物質は金属ねじの回りに形成可能となる。更に、座金が吸収されると骨の破片への圧縮は次第に減少する。
座金の製造に用いられる再吸収性または分解性の物質は、例えば、リン酸三石灰、ヒドロキシアパタイト、炭酸カルシュウムまたはこれらの組み合わせに基づくセラミックである。
本発明に係る座金に用いることのできる他の物質は、高度に精製したポリヒドロキシ酸、ポリアミン、ポリアミノ酸、アミノ酸およびグルタミン酸の共重合体、ポリオルトエステル、ポリ無水物、アミド、ポリジオキサノン、ポリジオキサンジオン、ポリエステルアミド、ポリリンゴ酸、ジオールおよびシュウ酸および／またはコハク酸のポリエステル、ポリカプロラクトン、コポリオキサレート、ポリカーボネートまたはポリ（グルタミック−コ−ロイシン）のようなポリマーを含む。好ましくは用いられるポリヒドロキシ酸は種々の化学的構造のポリカプロラクトンポリラクチド［例えばポリ（Ｌ−ラクチド）、ポリ（Ｄ−ラクチド）、ポリ（Ｌ／Ｄ−ラクチド）、ポリ（Ｌ／ＤＬ−ラクチド）］、ポリグリコリド、種々の組成のラクチドおよびグリコリドの共重合体、該ラクチドおよび／またはグリコリドと他のポリエステルの共重合体、グリコリドおよびトリメチレンカーボネートの共重合体、ポリ（グリコリド−コ−トリメチレンカルボネート）、ポリヒドロキシブチレート、ポリヒドロキシバレレート、種々の組成のヒドロキシブチレートおよびヒドロキシバレレートの共重合体を含む。
添加剤として用いられる更なる物質は、再吸収できるポリマー母体および再吸収できるガラスおよびセラミックを含む複合系であり、そのセラミックは例えば加工する前に該ポリマーに混合したリン酸三石灰、ヒドロキシアパタイト、および／または炭酸カルシュウムに基づく。
図４は中空の骨ねじ６０を共に本発明のねじ山つき座金１を示す。図４に示されているねじはＳｙｎｔｈｅｓ（ＵＳＡ）により販売されている２．７ｍｍの中空ねじである。当業者はほかの通常の、中空および中空でないの両方ともの骨ねじが、本発明のねじ山つき座金と共に用いることができることを認めるであろう。
骨ねじ６０は網状骨物質において固定するよう設計されたねじ山６１を有する。骨ねじのねじ山６１は大きな方の直径６２を有する。ねじ山つき座金１の中央の穴５は骨ねじのねじ山の直径６２よりわずかに大きく、その結果骨ねじ６０はねじ山つき座金１の内壁に触れることなく座金の中へ挿入できる。図４に示した実施態様では、座金１の中央の穴５は骨ねじのねじ山６１の直径６２より約０．３ｍｍ大きい。
骨ねじの頭６７は球状の下面６８を有する。球状の下面は、六角形の受け口の形のねじ込み手段８および上端３により形成される角に接線でかみ合う。骨ねじのねじ山６１および骨ねじの頭６７の間にはねじ山のないシャフト部６５がある。骨ねじのねじ山６１の末端の自己開け縦溝７０は、予備穴あけまたは雌ねじ切りをすることなくねじの挿入を可能とする。
図４に示された中空の骨ねじは更に、埋め込み処置中に用いられる案内ワイヤー１１２（図５〜７に示される）を受ける中央の穴６６を有する。骨ねじの頭６７は十字状のねじ回し（示してない）を受け入れる十字状の細長い窪み６９を有する。骨ねじ６０は好ましくは移植体品質のステンレス鋼から作られる。
図５〜８は、小さな骨の骨折の整復および固定のために、中空の骨ねじ６０と共に本発明のねじ山つき座金１を使用する手順を説明している。当業者はねじ山つき座金の埋め込みについての他の手順が、中空または中空でないねじを用いて、可能であることを認めるであろう。座金の使用は説明する用途に限られるものでないことが更に理解されるであろう。
図５はねじ山つき座金および中空のねじの埋め込みのために骨を準備する最初の段階を示している。骨折面１０１が外側の破片１０５を内側の破片１０６から分離しているのを示している。埋め込みのために選ばれた位置で、骨折面１０１は骨の網状地域１０２の中、皮質１０３の下側にある。
自己穴あけの案内ワイヤー１１２が骨折面１０１に実質的に垂直な方向にドリル（示してない）を用いて骨の中へ挿入される。案内ワイヤーは穴あけを容易にする縦溝が彫られた先端１１０を有する。案内ワイヤー１１２の直径は中空のねじ６０に適切な直径となるよう選ばれ、例えば、３．０ｍｍの中空のねじでは１．１ｍｍの案内ワイヤーを用いることができる。案内ワイヤー１１２は皮質１０３を通過し、外側の破片１０５を通り、中空のねじ６０（図４）のねじ山６１が内部の破片１０６に完全にかみ合うことができるよう十分に内部の破片に入り込む。穴あけ深度計（示してない）を適正な案内ワイヤーの深さを保証するため用いることができる。
図６に示されているように、テーパーのついた皿穴１２０が、中空のテーパーのあるリーマー（示してない）を用いて案内ワイヤー１１２と同心の位置に開けられる。リーマーは案内ワイヤー１１２を用いて既知の方法で案内される。皿穴の深さは、皮質１０３の外表面と一直線となるリーマーの測定用印（ゲージングマーク、示してない）により調整されうる。
ねじ山つき座金１は口を広げた穴１２０の中へ図７に示されるように設置される。ねじつき座金１は案内ワイヤー１１２上に最初に組みつけられる。中空の六角形のねじ回し（示されてない）が次にねじつき座金１の上の案内ワイヤー１１２上に組みつけられ、そしてねじつき座金の六角形の受け口形状のねじ込み手段８とかみ合う。この六角形のねじ回しを用いて、ねじ付き座金を対応する穴１２０の中で回転させ、ねじ山９を骨物質とかみ合わせる。切り込み縦溝１４（図１）によって、テーパーのついたねじ山９が皮質１０３および網状骨１０２に切り込むことができる。座金１はねじ９が完全にテーパーのついた穴１２０とかみ合うまで回される。
座金１が生物吸収性材料から作られる実施態様においては、切り込み縦溝の付いた自己雌ねじ切りねじ山の使用は可能でないであろう。この場合には、対応の穴は、テーパーのついた中空の雌ねじ切りを用いてねじ山つき座金を埋め込む前にねじ切りされる。
図８は設置が完了した後のねじ山つき座金および中空のねじを示す。中空のねじ６０は案内ワイヤー（示してない）上に組まれ、そして中空の十字状ねじ回し（示されてない）が中空のねじの上部にかつ中空のねじの十字状の細長い窪み６９にかみ合って組まれる。案内ワイヤー１１２上を滑って、中空ねじは、ねじ山６１が案内ワイヤーを取り囲む外側の破片１０５の網状骨物質１０２とかみ合うまで、ねじ山つき座金１の中央の穴５を通過する。十字状のねじ回しが次に、ねじ山６１が外側の破片１０５を通過しそして完全に内側の破片１０６にかみ合うまで、中空ねじ６０を回すのに用いられる。中空の骨ねじのねじの無いシャフト部６５は接触することなく座金１を通過する。シャフト部６５は骨折面１０１のすぐ上および下で骨物質に完全に接触し、そして内側および外側の破片の間の横方向の動きを妨げる。
中空の骨ねじ６０が骨の中へねじ込まれた後、ねじの頭６７の下面６８は、六角形の受け口の形状のねじ込み手段８および上端３により形成される角でねじ山つき座金と接触する。骨の外側表面の下のねじ山つき座金１の決められた深さにより、中空のねじの頭６７は穴に埋まり、それにより関節が接合しそして柔らかい組織の損傷を防ぐことを保証する。中空の骨ねじ６０の更なる回転は内部の破片１０６をねじ山つき座金１の方へ上へ引っ張り、そして骨折１０１を整復する。中空の骨ねじ６０はそして、適切な圧縮力が骨折面１０１に渡って加わるまで回される。
圧縮力は骨の外側の破片１０５にある中空の骨ねじ６０の軸方向の位置に影響を与えることなく増減できる。座金のねじ山９はテーパーとなっているので、骨ねじ６０がねじ山つき座金１に対して締めつけられる間、座金１が摩擦により前進するのを抑制する。
【図１】
0003754455.tif 000002
【図２】
0003754455.tif 000003
【図３】
0003754455.tif 000004
【図４】
0003754455.tif 000005
【図５】
0003754455.tif 000006
【図６】
0003754455.tif 000007
【図７】
0003754455.tif 000008
【図８】
0003754455.tif 000009